(57)【要約】      （修正有）【課題】実際の使用の必要に応じて異なるアクセサリを組み合わせることで、乳母車の機能を拡充できる乳母車の車体フレームを提供する。【解決手段】ベースシート２，３０に係止溝が設けられた上フレーム１１と、下フレーム１２と、上端に折り畳み関節が設けられて上フレームと下フレームと接続された二つの後輪足フレーム１３と、下フレーム底端両側に設けられて、収容室を有し、収容室の外側に円孔が設けられた二つの前輪足座１６と、前輪足座に設けられて、上端にベースシートが設けられ、ベースシートが係止溝を具え、上端にチューブプラグが設けられて、該チューブプラグが該収容室内に置かれ、チューブプラグに弾性押しボタンが設けられて円孔を係止できる二つのサブフレーム３とを包含し、上フレーム、下フレームとサブフレームの複数のベースシートにシート、眠り籠、支持フレーム等のアクセサリが組合せられて、乳母車の機能が拡充されている。【選択図】図１
0003164669.tif 000002
【実用新案登録請求の範囲】
【請求項１】
乳母車の車体フレームにおいて、
上フレームであって、底端両側に互いに対応するベースシートが設けられてベースシートに係止溝が設けられた、上記上フレームと、
下フレームであって、上端両側に互いに対応するベースシートが設けられて、ベースシートに係止溝が設けられた、上記下フレームと、
二つの後輪足フレームであって、上端に折り畳み関節が設けられ、該上フレームと該下フレームに接続された、上記二つの後輪足フレームと、
二つの前輪足座であって、該下フレームの底端両側に設けられて、収容室を有し、該収容室の外側に円孔が設けられた、上記二つの前輪足座と、
二つのサブフレームであって、該前輪足座に設けられて、上端にベースシートが設けられ、該サブフレームのベースシートが係止溝を具え、上端にチューブプラグが設けられて、該チューブプラグが該収容室内に置かれ、該チューブプラグに弾性押しボタンが設けられて該円孔を係止できる、上記二つのサブフレームと、を包含し、
該上フレームと該下フレームと該サブフレームの複数のベースシートに、シート、眠り籠、支持フレーム等のアクセサリが組み合わされることで、乳母車の機能を拡充できることを特徴とする、乳母車の車体フレーム。
【請求項２】
請求項１記載の乳母車の車体フレームにおいて、各ベースシートの係止溝が上が広く下が狭い台形を呈することを特徴とする、乳母車の車体フレーム。
【請求項３】
請求項１記載の乳母車の車体フレームにおいて、各ベースシートの係止溝の内側に方形孔が設けられたことを特徴とする、乳母車の車体フレーム。
【請求項４】
請求項１記載の乳母車の車体フレームにおいて、該サブフレームの底端に外蓋が設けられたことを特徴とする、乳母車の車体フレーム。
【考案の詳細な説明】
【技術分野】
【０００１】
本考案は一種の乳母車の車体フレームに係り、特に実際の使用の必要に応じて異なるアクセサリを組合せられ、乳母車の機能を拡充できるものに関する。
【背景技術】
【０００２】
周知の一人用乳母車は、第２シートを付加することで二人目の乳幼児を乗せることができる。しかし、車体フレームは比較的小さいため、もともと空間不足の問題を有しており、且つ二人目の乳幼児を乗せる時、積載量が増加するため、転倒の危険がある。
【０００３】
また、周知の二人用乳母車は、車体フレームの体積が大きく、構造が複雑で、折り畳んだ後の体積も大きく、重量が重すぎ、使用者に不便をもたらした。
【考案の概要】
【考案が解決しようとする課題】
【０００４】
このため、本考案の主要な目的は、実際の使用の必要に応じて異なるアクセサリを組み合わせることで、乳母車の機能を拡充できる乳母車の車体フレームを提供することで、周知の技術の欠点を解決することにある。
【課題を解決するための手段】
【０００５】
本考案の乳母車の車体フレームは、底端両側に互いに対応するベースシートが設けられてベースシートに係止溝が設けられた上フレームと、上端両側に互いに対応するベースシートが設けられて、ベースシートに係止溝が設けられた下フレームと、上端に折り畳み関節が設けられて上フレームと下フレームと接続された二つの後輪足フレームと、下フレーム底端両側に設けられて、収容室を有し、収容室の外側に円孔が設けられた二つの前輪足座と、前輪足座に設けられて、上端にベースシートが設けられ、ベースシートが係止溝を具え、上端にチューブプラグが設けられて、該チューブプラグが該収容室内に置かれ、チューブプラグに弾性押しボタンが設けられて円孔を係止できる二つのサブフレームと、を包含し、上フレーム、下フレームとサブフレームの複数のベースシートにシート、眠り籠、支持フレーム等のアクセサリが組合せられて、乳母車の機能が拡充されている。
【考案の効果】
【０００６】
簡単に言うと、消費者は実際の使用の必要に応じて異なるアクセサリを購入するだけで、乳母車の機能を拡充でき、周知の乳母車の拡充不能の問題を解決するのみならず、不必要な浪費を減らすことができ、ゆえに本考案は周知の技術よりも遥かに進歩した考案である。
【図面の簡単な説明】
【０００７】
【図１】本考案の立体図である。
【図２】本考案の立体分解図である。
【図３】本考案中のサブフレームの立体分解図である。
【図４】本考案中のサブフレームと車体フレームの組合せ断面図である。
【図５】本考案中のシートの立体図である。
【図６】本考案中の眠り籠の立体図である。
【図７】本考案中の支持フレームの立体図である。
【図８】本考案中の固定機構の立体分解図である。
【図９】本考案中の固定機構とベースシートの組合せ断面図である。
【図１０】本考案のシートを取り付けた使用状態参考図（一）である。
【図１１】本考案のシートを取り付けた使用状態参考図（二）である。
【図１２】本考案のシートを取り付けた使用状態参考図（三）である。
【図１３】本考案の二つのシートを同方向に取り付けた使用状態参考図である。
【図１４】本考案の二つのシートを対向するように取り付けた使用状態参考図である。
【図１５】本考案のシートと眠り籠を取り付けた使用状態参考図である。
【図１６】本考案のシートと手提げバスケットを取り付けた使用状態参考図である。
【図１７】本考案の眠り籠を取り付けた使用状態参考図である。
【図１８】本考案の手提げバスケットを取り付けた使用状態参考図である。
【考案を実施するための形態】
【０００８】
本考案の技術内容、構造特徴、達成する目的を詳細に説明するため、以下に実施例を挙げ並びに図面を組み合わせて説明する。
【０００９】
図１から図４に示されるように、本考案は、上フレーム１１、下フレーム１２、二つの後輪足フレーム１３、二つの前輪足座１６、二つのサブフレーム３、アクセサリを包含する。
【００１０】
該上フレーム１１は、底端両側に互いに対応するベースシート２が設けられ、該ベースシート２は並びに上が広く下が細いあり溝（台形）状の係止溝２１を有し、該係止溝２１内側に方形孔２２がある。
【００１１】
該下フレーム１２は、上フレーム１１の下方に設けられ、上端両側に互いに対応するベースシート２が設けられて、このベースシート２もまた係止溝２１と方形孔２２を有する。
【００１２】
該二つの後輪足フレーム１３は、上端に折り畳み関節１４が設けられて上フレームと下フレームと接続され、底端に後輪１５を具えている。
【００１３】
該二つの前輪足座１６は、該下フレームの底端両側に設けられて、収容室１７を有し、収容室１７の外側に円孔１８が設けられ、該前輪足座１６の底端に前輪１９を有する。
【００１４】
該二つのサブフレーム３は、該前輪足座１６に取付けられ、上端にベースシート３０を具え、該ベースシート３０もまた係止溝３１と方形孔３２を具え、底端にそれぞれ外蓋３３とチューブプラグ３４が固定され、外蓋３３は前輪足座１６の収容室１７の上端を被覆し、チューブプラグ３４は収容室１７内に挿入され、その上に押し止め部３５とバネ３６が設けられ、押し止め部３５が弾性を付与されて弾性押しボタン３５が形成され、これにより、円孔１８と係止と分離を形成可能で、これによりサブフレーム３が前輪足座１６と結合或いは分離させられる。
【００１５】
該アクセサリは、例えばシート４１、眠り籠４２、支持フレーム４３等とされ、図５、６、７に示されるようである。そのうち、支持フレーム４３は、手提げバスケット４４を取り付けることができ、これにより乳幼児を坐らせたり横たえたりできる。
【００１６】
これらアクセサリの両側にはそれぞれ同じ固定機構５が設けられ、図８、９に示されるように、該固定機構５は、本体５１を有し、該本体の外側の上端と下端にそれぞれストッパ片５２と係止ブロック５３が設けられ、係止ブロック５３は上述のベースシートの係止溝２１、３１内に挿入可能であり、並びにストッパ片５２により当て止めされる。該本体５１の中間を固定軸５４がとおり、上端には弾性押しボタン５５が設けられ、底端には弾性固定ピン５６が設けられている。該弾性押しボタン５５の底端と弾性固定ピン５６の間には、相互に対応するテーパ面が設けられ、常態下で弾性固定ピン５６はバネ５７の伸張力により恒常的に伸出状態を停止、ベースシート２、３０の方形孔２２、３２と嵌合している。しかし、弾性押しボタン５５が押されると、弾性固定ピン５６が押されて内縮し、ベースシート２、３０と分離する。
【００１７】
常態下で、本考案の車体フレームは、それぞれベースシート２とサブフレーム３に結合され、サブフレーム３には並びにベースシート３０が設けられている。使用時には、シート４１の固定機構５とサブフレーム３のベースシート３０を結合固定させる。すなわち、固定機構５の係止ブロック５３をベースシートの係止溝３１内に嵌合させて、ストッパ片５２で当て止めし、弾性固定ピン５６を方形孔３２内に挿入し、図９、図１０のようにすると、乳幼児を坐らせることができる。
【００１８】
このほか、該シート４１はまたその固定機構５によりそれぞれ上フレーム１１、下フレーム１２のベースシート２と結合させることができ、同様に乳幼児を坐らせることができ、これは図１１、図１２に示されるとおりである。
【００１９】
さらに、図１３、１４に示されるように、二つのシート４１をそれぞれサブフレーム３のベースシート３０及び上フレーム１１のベースシート２と結合固定させ、車体フレームに二つの同方向或いは対向するシート４１を取り付けることができ、これにより二人の乳幼児を坐らせることができる。
【００２０】
さらに、図１５、１６に示されるように、シート４１、眠り籠４２及び支持フレーム４３（手提げバスケット４４）等のアクセサリをそれぞれサブフレーム３のベースシート３０及び上フレーム１１のベースシート２と結合固定すれば、車体フレームに同時にシート４１と眠り籠４２を、或いはシート４１と手提げバスケット４４を取り付けることができ、二人の乳幼児を一人は横たえ、一人は坐らせることができる。
【００２１】
さらに、図１７、１８に示されるように、眠り籠４２及び支持フレーム４３（手提げバスケット４４）等のアクセサリを上フレーム１１のベースシート２と結合固定すれば、車体フレームに眠り籠４２或いは手提げバスケット４４を取り付けられ、一人の乳幼児を寝かせることができる。
【００２２】
以上の説明からわかるように、本考案はサブフレーム３と複数のベースシート２、３０の設計に、シート４１、眠り籠４２、支持フレーム４３などのアクセサリを組合せ、及びその上の固定機構５と結合することで、１〜２人での使用の各種形式を切り換えることができ、簡単に一人用乳母車を二人用乳母車に切り換えることができ、並びに、異なる年齢の乳幼児の要求に対応できる。
【００２３】
以上述べたことは、本考案の実施例にすぎず、本考案の実施の範囲を限定するものではなく、本考案の実用新案登録請求の範囲に基づきなし得る同等の変化と修飾は、いずれも本考案の権利のカバーする範囲内に属するものとする。
【符号の説明】
【００２４】
１１  上フレーム          １２  下フレーム        １３  後輪足フレーム
１４  折り畳み関節        １５  後輪              １６  前輪足座
１７  収容室              １８  円孔              １９  前輪
２、３０  ベースシート    ２１、３１  係止溝      ２２、３２  方形孔
３  サブフレーム          ３３  外蓋              ３４  チューブプラグ
３５  押しボタン          ３６、５７  バネ        ４１  シート
４２  眠り籠              ４３  支持フレーム      ４４  手提げバスケット
５  固定機構              ５１  本体              ５２  ストッパ片
５３  係止ブロック        ５４  固定軸            ５５  弾性押しボタン
５６  弾性固定ピン
【図１】
0003164669.tif 000003
【図２】
0003164669.tif 000004
【図３】
0003164669.tif 000005
【図４】
0003164669.tif 000006
【図５】
0003164669.tif 000007
【図６】
0003164669.tif 000008
【図７】
0003164669.tif 000009
【図８】
0003164669.tif 000010
【図９】
0003164669.tif 000011
【図１０】
0003164669.tif 000012
【図１１】
0003164669.tif 000013
【図１２】
0003164669.tif 000014
【図１３】
0003164669.tif 000015
【図１４】
0003164669.tif 000016
【図１５】
0003164669.tif 000017
【図１６】
0003164669.tif 000018
【図１７】
0003164669.tif 000019
【図１８】
0003164669.tif 000020